【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
情報処理装置であって、
電子証明書を外部装置から取得する第１の取得手段と、
前記第１の取得手段で取得した電子証明書で使われている公開鍵の利用期限を取得する第２の取得手段と、
前記第１の取得手段で取得した電子証明書の有効期限と前記第２の取得手段で取得した公開鍵の利用期限とを比較する比較手段とを有することを特徴とする情報処理装置。
【請求項２】
公開鍵の種類ごとに、公開鍵の利用期限を定めたテーブルを記憶するテーブル記憶手段を有し、
前記第２の取得手段は、前記第１の取得手段で取得した電子証明書で使われている公開鍵の利用期限を前記テーブルから取得することを特徴とする請求項１に記載の情報処理装置。
【請求項３】
利用可能な電子証明書を記憶する記憶手段と、
前記第１の取得手段で取得した電子証明書の有効期限が前記第２の取得手段で取得した公開鍵の利用期限よりも短い場合、前記第１の取得手段で取得した電子証明書を前記記憶手段に登録する登録手段と、を有することを特徴とする請求項１または２に記載の情報処理装置。
【請求項４】
利用可能な電子証明書を記憶する記憶手段と、
前記第１の取得手段で取得した電子証明書の有効期限が前記第２の取得手段で取得した公開鍵の利用期限よりも長い場合、前記第１の取得手段で取得した電子証明書を前記記憶手段に登録するか否かをユーザに選択させる選択手段と、
前記第１の取得手段で取得した電子証明書を前記記憶手段に登録するとユーザが選択した場合、前記第１の取得手段で取得した電子証明書を前記記憶手段に登録する登録手段と、を有することを特徴とする請求項１または２に記載の情報処理装置。
【請求項５】
利用可能な電子証明書を記憶する記憶手段と、
前記第１の取得手段で取得した電子証明書の有効期限が前記第２の取得手段で取得した公開鍵の利用期限よりも長い場合、前記第１の取得手段で取得した電子証明書の有効期限を変更する変更手段と、
前記変更手段で変更した電子証明書を前記記憶手段に登録する登録手段と、を有することを特徴とする請求項１または２に記載の情報処理装置。
【請求項６】
利用可能な電子証明書を記憶する記憶手段と、
前記第１の取得手段で取得した電子証明書の有効期限が前記第２の取得手段で取得した公開鍵の利用期限よりも長い場合、前記第１の取得手段で取得した電子証明書の有効期限よりも長い利用期限を有する公開鍵を作成する作成手段と、
前記第１の取得手段で取得した電子証明書の有効期限が前記第２の取得手段で取得した公開鍵の利用期限よりも長い場合、前記作成手段で作成した公開鍵に基づく電子証明書を前記記憶手段に登録する登録手段と、を有することを特徴とする請求項１または２に記載の情報処理装置。
【請求項７】
前記第１の取得手段で取得した電子証明書の有効期限が過ぎているか否かを判断する判断手段を有し、
前記第１の取得手段で取得した電子証明書の有効期限が過ぎている場合、前記登録手段は、前記第１の取得手段で取得した電子証明書を前記記憶手段に登録しないことを特徴とする請求項３乃至６のいずれか１項に記載の情報処理装置。
【請求項８】
前記公開鍵の利用期限は、前記公開鍵が安全であるとされる期間であることを特徴とする請求項１乃至７のいずれか１項に記載の情報処理装置。
【請求項９】
前記電子証明書は、前記電子証明書のために使われた公開鍵を含むことを特徴とする請求項１乃至８のいずれか１項に記載の情報処理装置。
【請求項１０】
前記比較結果に基づいて前記第１の取得手段で取得した電子証明書を利用可能な電子証明書として登録するか、前記比較結果に基づかずに前記第１の取得手段で取得した電子証明書を利用可能な電子証明書として登録するかを選択する選択手段を有することを特徴とする請求項１乃至９のいずれか１項に記載の情報処理装置。
【請求項１１】
情報処理装置であって、
電子証明書を外部装置から取得する第１の取得手段と、
前記第１の取得手段で取得した電子証明書で使われているアルゴリズムの利用期限を取得する第２の取得手段と、
前記第１の取得手段で取得した電子証明書の有効期限と前記第２の取得手段で取得したアルゴリズムの利用期限とを比較する比較手段とを有することを特徴とする情報処理装置。
【請求項１２】
電子証明書で使われているアルゴリズムは、ハッシュアルゴリズムまたは署名アルゴリズムであることを特徴とする請求項１１に記載の情報処理装置。
【請求項１３】
利用可能な電子証明書を記憶する記憶手段と、
前記第１の取得手段で取得した電子証明書の有効期限が前記第２の取得手段で取得したアルゴリズムの利用期限よりも短い場合、前記第１の取得手段で取得した電子証明書を前記記憶手段に登録する登録手段と、を有することを特徴とする請求項１１または１２に記載の情報処理装置。
【請求項１４】
利用可能な電子証明書を記憶する記憶手段と、
前記第１の取得手段で取得した電子証明書の有効期限が前記第２の取得手段で取得したアルゴリズムの利用期限よりも長い場合、前記第１の取得手段で取得した電子証明書を前記記憶手段に登録するか否かをユーザに選択させる選択手段と、
前記第１の取得手段で取得した電子証明書を前記記憶手段に登録するとユーザが選択した場合、前記第１の取得手段で取得した電子証明書を前記記憶手段に登録する登録手段と、を有することを特徴とする請求項１１または１２に記載の情報処理装置。
【請求項１５】
利用可能な電子証明書を記憶する記憶手段と、
前記第１の取得手段で取得した電子証明書の有効期限が前記第２の取得手段で取得したアルゴリズムの利用期限よりも長い場合、前記第１の取得手段で取得した電子証明書の有効期限を変更する変更手段と、
前記変更手段で変更した電子証明書を前記記憶手段に登録する登録手段と、を有することを特徴とする請求項１１または１２に記載の情報処理装置。
【請求項１６】
前記アルゴリズムの利用期限は、前記アルゴリズムが安全であるとされる期間であることを特徴とする請求項１１乃至１５のいずれか１項に記載の情報処理装置。
【請求項１７】
前記電子証明書は、前記電子証明書のために使われたアルゴリズムを示す情報を含むことを特徴とする請求項１１乃至１６のいずれか１項に記載の情報処理装置。
【請求項１８】
前記比較結果に基づいて前記第１の取得手段で取得した電子証明書を利用可能な電子証明書として登録するか、前記比較結果に基づかずに前記第１の取得手段で取得した電子証明書を利用可能な電子証明書として登録するかを選択する選択手段を有することを特徴とする請求項１１乃至１７のいずれか１項に記載の情報処理装置。
【請求項１９】
情報処理装置で実行される情報処理方法であって、
第１の取得手段が、電子証明書を外部装置から取得する第１の取得ステップと、
第２の取得手段が、前記第１の取得ステップで取得した電子証明書で使われている公開鍵の利用期限を取得する第２の取得ステップと、
比較手段が、前記第１の取得ステップで取得した電子証明書の有効期限と前記第２の取得ステップで取得した公開鍵の利用期限とを比較する比較ステップとを有することを特徴とする情報処理方法。
【請求項２０】
外部装置から電子証明書を取得する情報処理装置のコンピュータにより読み取り可能なコンピュータプログラムであって、
外部装置から取得した電子証明書で使われている公開鍵の利用期限を取得する取得ステップと、
外部装置から取得した電子証明書の有効期限と前記取得ステップで取得した公開鍵の利用期限とを比較する比較ステップと、を前記コンピュータに実行させることを特徴とするコンピュータプログラム。
【手続補正２】
【補正対象書類名】明細書
【補正対象項目名】００１０
【補正方法】変更
【補正の内容】
【００１０】
また、本発明に係る情報処理装置は、電子証明書を外部装置から取得する第１の取得手段と、前記第１の取得手段で取得した電子証明書で使われているアルゴリズムの利用期限を取得する第２の取得手段と、前記第１の取得手段で取得した電子証明書の有効期限と前記第２の取得手段で取得したアルゴリズムの利用期限とを比較する比較手段とを有することを特徴とする。